(57)【要約】【課題】波長板で反射される反射光が光源の発光部や受光素子の受光部に入射するのを防止しつつ、対物レンズ駆動装置の薄型化および小型化を図ることが可能な光ヘッド装置を提供すること。【解決手段】光ヘッド装置１は、光源３からの射出光を光記録媒体２に収束させる対物レンズ１６を駆動する対物レンズ駆動装置と、光源３からの射出光を平行光にするコリメータレンズ１３と、コリメータレンズ１３からの平行光の偏光方向を変換する波長板１４と、コリメータレンズ１３からの平行光を対物レンズ１６に向かって反射する立ち上げミラー１５とを備えている。波長板１４は、コリメータレンズ１３と立ち上げミラー１５との間に配置されるとともに、波長板１４で反射される反射光が迷光として光源３の発光部および／または受光素子４の受光部に入射しないように傾いた状態で対物レンズ駆動装置に固定されている。【選択図】図１
2010061766.tif 000002
【特許請求の範囲】
【請求項１】
光源と、前記光源からの射出光を光記録媒体に収束させる対物レンズを少なくともトラッキング方向およびフォーカシング方向に駆動する対物レンズ駆動装置と、前記対物レンズ駆動装置が搭載されて固定される装置フレームと、前記光記録媒体で反射された光を受光する受光素子と、前記光源からの射出光を平行光にするコリメータレンズと、前記コリメータレンズからの平行光の偏光方向を変換する波長板と、前記コリメータレンズからの平行光の光軸を略９０°立ち上げるように前記対物レンズに向かって前記コリメータレンズからの平行光を反射する立ち上げミラーとを備え、
前記波長板は、前記コリメータレンズと前記立ち上げミラーとの間に配置されるとともに、
前記波長板は、前記波長板で反射される反射光が迷光として前記光源の発光部および／または前記受光素子の受光部に入射しないように傾いた状態で前記対物レンズ駆動装置に固定されていることを特徴とする光ヘッド装置。
【請求項２】
前記波長板は、前記対物レンズの光軸と前記波長板の表面とが略平行になるように、かつ、前記対物レンズの光軸と前記コリメータレンズの光軸とに直交する方向に対して前記波長板の表面が傾くように、前記対物レンズ駆動装置に固定されていることを特徴とする請求項１記載の光ヘッド装置。
【請求項３】
前記光源からの射出光を回折する回折素子を備え、
前記受光素子は、前記回折素子で回折され前記光記録媒体で反射された複数の回折光を受光するための複数の受光部を備え、
前記波長板は、複数の前記受光部の配列方向に対して略直交する方向に前記波長板での反射光がずれるように、傾いていることを特徴とする請求項１または２記載の光ヘッド装置。
【請求項４】
前記対物レンズ駆動装置は、前記対物レンズを駆動するための駆動用磁石と、前記駆動用磁石が固定されるヨークとを備え、
前記波長板は、前記駆動用磁石および／または前記ヨークに固定されていることを特徴とする請求項１から３いずれかに記載の光ヘッド装置。
【請求項５】
前記ヨークには、前記波長板を固定するための一対の波長板固定部が形成され、
一対の前記波長板固定部には、前記駆動用磁石を固定するための磁石固定面が形成され、
一方の前記波長板固定部の前記磁石固定面に固定された前記駆動用磁石の、前記磁石固定面との当接面に前記波長板の一端側が固定され、
他方の前記波長板固定部の前記磁石固定面と反対側の面には、前記波長板の他端側が固定される波長板固定面が形成され、
前記波長板固定面が形成された部分の厚さは、前記ヨークの他の部分の厚さよりも薄くなっていることを特徴とする請求項４記載の光ヘッド装置。
【請求項６】
前記波長板は、樹脂フィルムで形成されていることを特徴とする請求項１から５いずれかに記載の光ヘッド装置。
【請求項７】
前記光源は、異なる波長のレーザ光を射出する２個の発光点が近接配置される２波長レーザ光源であることを特徴とする請求項１から６いずれかに記載の光ヘッド装置。
【発明の詳細な説明】
【技術分野】
【０００１】
本発明は、光記録媒体に対する情報の記録、再生を行う光ヘッド装置に関する。
【背景技術】
【０００２】
ＣＤやＤＶＤ等の光記録媒体に対する情報の記録、再生を行う光ヘッド装置として、光源からの射出光を光記録媒体に収束させる対物レンズをトラッキング方向やフォーカシング方向に駆動する対物レンズ駆動装置と、対物レンズ駆動装置が搭載される装置フレームとを備える光ヘッド装置が知られている（たとえば、特許文献１参照）。
【０００３】
特許文献１に記載の光ヘッド装置は、光源からの射出光を平行光にするコリメータレンズと、コリメータレンズからの平行光を対物レンズに向かって反射する立ち上げミラーと、立ち上げミラーと対物レンズとの間に配置され立ち上げミラーからの光の偏光方向を変換する波長板とを備えている。また、この光ヘッド装置は、光記録媒体で反射された光を受光する受光素子を備えている。
【０００４】
特許文献１に記載の光ヘッド装置では、コリメータレンズおよび立ち上げミラーは、装置フレームに固定されている。また、波長板は、この波長板で反射された反射光が迷光として光源や受光素子に入射することがないように、所定の傾き角で対物レンズ駆動装置の下面側に固定されている。具体的には、光ヘッド装置では、対物レンズ駆動装置を装置フレームに搭載する際に、装置フレームに対する対物レンズ駆動装置の傾きを調整して対物レンズの傾角を調整する傾角調整が行われるため、波長板は、対物レンズの傾角調整範囲の上限よりも大きな傾き角で対物レンズ駆動装置の下面側に固定されている。
【０００５】
【特許文献１】特開２００５−３３９６７０号公報
【発明の開示】
【発明が解決しようとする課題】
【０００６】
上述のように、特許文献１に記載の光ヘッド装置では、波長板は、対物レンズの傾角調整範囲の上限よりも大きな傾き角で対物レンズ駆動装置の下面側に固定されている。すなわち、対物レンズの光軸方向に直交する方向に対して比較的大きな傾斜角度で波長板が対物レンズ駆動装置の下面側に固定されている。そのため、この光ヘッド装置では、対物レンズ駆動装置を薄型化することが困難である。
【０００７】
そこで、本発明の課題は、波長板で反射される反射光が光源の発光部や受光素子の受光部に入射するのを防止しつつ、対物レンズ駆動装置の薄型化および小型化を図ることが可能な光ヘッド装置を提供することにある。
【課題を解決するための手段】
【０００８】
上記の課題を解決するため、本発明の光ヘッド装置は、光源と、光源からの射出光を光記録媒体に収束させる対物レンズを少なくともトラッキング方向およびフォーカシング方向に駆動する対物レンズ駆動装置と、対物レンズ駆動装置が搭載されて固定される装置フレームと、光記録媒体で反射された光を受光する受光素子と、光源からの射出光を平行光にするコリメータレンズと、コリメータレンズからの平行光の偏光方向を変換する波長板と、コリメータレンズからの平行光の光軸を略９０°立ち上げるように対物レンズに向かってコリメータレンズからの平行光を反射する立ち上げミラーとを備え、波長板は、コリメータレンズと立ち上げミラーとの間に配置されるとともに、波長板は、波長板で反射される反射光が迷光として光源の発光部および／または受光素子の受光部に入射しないように傾いた状態で対物レンズ駆動装置に固定されていることを特徴とする。
【０００９】
本発明の光ヘッド装置では、波長板は、波長板で反射される反射光が迷光として光源の発光部および／または受光素子の受光部に入射しないように傾いた状態で対物レンズ駆動装置に固定されている。そのため、波長板で反射される反射光が光源の発光部や受光素子の受光部に入射するのを防止することができる。また、本発明では、波長板は、コリメータレンズと立ち上げミラーとの間に配置されている。すなわち、波長板は、対物レンズ駆動装置の側面側に配置されている。そのため、対物レンズの光軸方向で対物レンズ駆動装置を小型化することが可能になる。すなわち、対物レンズ駆動装置を薄型化することが可能になる。
【００１０】
また、本発明では、波長板は、コリメータレンズと立ち上げミラーとの間に配置されている。そのため、装置フレームに対する対物レンズ駆動装置の傾きを調整する対物レンズの傾角調整が行われても、ある方向への傾角調整であれば、波長板の傾斜のおおよその方向（概略方向）は変わりにくくなる。したがって、所定方向への波長板の傾斜角度を小さくしても、波長板で反射された反射光が迷光として光源の発光部や受光素子の受光部に入射するのを防止することが可能になる。すなわち、本発明では、対物レンズ駆動装置の側面側に配置される波長板の所定方向への傾斜角度を小さくすることが可能になり、その結果、対物レンズの光軸方向に直交する方向でも対物レンズ駆動装置を小型化することが可能になる。
【００１１】
本発明において、波長板は、対物レンズの光軸と波長板の表面とが略平行になるように、かつ、対物レンズの光軸とコリメータレンズの光軸に直交する方向に対して波長板の表面が傾くように、対物レンズ駆動装置に固定されていることが好ましい。このように構成すると、対物レンズの傾角調整が行われても、対物レンズの光軸とコリメータレンズの光軸とに直交する方向に対する波長板の傾斜のおおよその方向が変わらなくなる。したがって、対物レンズの光軸とコリメータレンズの光軸とに直交する方向に対する波長板の傾斜角度を小さくしても、また、対物レンズの光軸に対して波長板を傾斜させなくても、波長板で反射された反射光が迷光として光源の発光部や受光素子の受光部に入射するのを防止することが可能になる。すなわち、対物レンズ駆動装置の側面側に配置される波長板の傾斜角度を小さくすることができ、対物レンズの光軸方向に直交する方向で対物レンズ駆動装置をさらに小型化することが可能になる。
【００１２】
本発明において、光ヘッド装置は、光源からの射出光を回折する回折素子を備え、受光素子は、回折素子で回折され光記録媒体で反射された複数の回折光を受光するための複数の受光部を備え、波長板は、複数の受光部の配列方向に対して略直交する方向に波長板での反射光がずれるように、傾いていることが好ましい。このように構成すると、複数の受光部の配列方向に波長板での反射光がずれるように波長板が傾いている場合と比較して、波長板の傾斜角度を小さくすることができる。
【００１３】
本発明において、対物レンズ駆動装置は、対物レンズを駆動するための駆動用磁石と、駆動用磁石が固定されるヨークとを備え、波長板は、たとえば、駆動用磁石および／またはヨークに固定されている。また、この場合には、ヨークには、波長板を固定するための一対の波長板固定部が形成され、一対の波長板固定部には、駆動用磁石を固定するための磁石固定面が形成され、一方の波長板固定部の磁石固定面に固定された駆動用磁石の、磁石固定面との当接面に波長板の一端側が固定され、他方の波長板固定部の磁石固定面と反対側の面には、波長板の他端側が固定される波長板固定面が形成され、波長板固定面が形成された部分の厚さは、ヨークの他の部分の厚さよりも薄くなっていることが好ましい。このように構成すると、ヨークの厚さを厚くしても、波長板の傾斜角度を小さくすることができる。したがって、ヨークによって、対物レンズを駆動するための適切な磁気回路を形成することが可能になる。
【００１４】
本発明において、波長板は、樹脂フィルムで形成されていることが好ましい。このように構成すると、波長板のコストを低減することができる。ここで、波長板が樹脂フィルムで形成されていると、波長板の取付精度や温度変化等の影響で波長板が歪みやすくなるため、波長板の歪み量を考慮して波長板の傾斜角度を設定する必要があり、一般には、波長板の傾斜角度が大きくなるが、本発明では、対物レンズの傾角調整による波長板の傾斜方向の変動を抑制することができるため、波長板の歪み量を考慮したとしても、波長板の傾斜角度を小さくすることが可能になる。
【００１５】
本発明において、光源は、異なる波長のレーザ光を射出する２個の発光点が近接配置される２波長レーザ光源であることが好ましい。このように構成すると、２個のレーザ光源が光ヘッド装置に配置される場合と比較して、光源の配置スペースを低減することができ、かつ、光源の部品コストを低減することができる。ここで、光源が２波長レーザ光源であると、受光素子では、一方の波長の光を受光する受光部と、他方の波長の光を受光する受光部とが隣接配置されるため、隣接配置される受光部に波長板での反射光が入射しないように波長板の傾斜角度を設定する必要があり、一般には、波長板の傾斜角度が大きくなるが、本発明では、対物レンズの傾角調整による波長板の傾斜方向の変動を抑制することができるため、光源が２波長レーザ光源であっても、波長板の傾斜角度を小さくすることが可能になる。
【発明の効果】
【００１６】
以上のように、本発明の光ヘッド装置では、波長板で反射される反射光が光源の発光部や受光素子の受光部に入射するのを防止しつつ、対物レンズ駆動装置の薄型化および小型化を図ることが可能になる。
【発明を実施するための最良の形態】
【００１７】
以下、本発明の実施の形態を図面に基づいて説明する。
【００１８】
（光ヘッド装置の全体構成）
図１は、本発明の実施の形態にかかる光ヘッド装置１の、光学系５を中心とした概略構成図であり、（Ａ）は平面図、（Ｂ）は側面図である。図２は、本発明の実施の形態にかかる光ヘッド装置１の一部の部品を取り除いた状態を示す平面図である。図３は、図１（Ｂ）のＥ−Ｅ方向から受光素子４の受光部４ａ〜４ｆを示す概念図である。
【００１９】
本形態の光ヘッド装置１は、ＣＤやＤＶＤ等の光記録媒体２に記録された情報の再生や、光記録媒体２への情報の記録を行う装置である。この光ヘッド装置１は、光記録媒体２に向かって６５０ｎｍ帯の波長のレーザ光（射出光）Ｌ１を射出する発光点と７８０ｎｍ帯の波長のレーザ光（射出光）Ｌ２を射出する発光点とが図１の左右方向で近接配置される２波長レーザ光源３（以下、「光源３」とする。）と、光記録媒体２で反射された反射光ＬＲ１、ＬＲ２を受光する受光素子４と、光源３から射出された射出光Ｌ１、Ｌ２を光記録媒体２に集束させるとともに光記録媒体２で反射された反射光ＬＲ１、ＬＲ２を受光素子４に導く光学系５とを備えている。また、光ヘッド装置１は、図２に示すように、光学系５を構成する後述の対物レンズ１６をトラッキング方向、フォーカシング方向およびチルト方向に駆動する対物レンズ駆動装置７と、対物レンズ駆動装置７が搭載されて固定される装置フレーム８とを備えている。
【００２０】
なお、図１等に示す矢印Ｆｏ、Ｔｒはそれぞれ、対物レンズ１６のフォーカシング方向、トラッキング方向である。また、図４等に示す矢印Ｔｉは、対物レンズ１６のチルト方向である。また、フォーカシング方向Ｆｏとトラッキング方向Ｔｒとに直交する方向（矢印Ｔａで示す方向）は、光記憶媒体２の接線方向（タンジェンシャル方向）であるため、以下では、矢印Ｔａの方向をタンジェンシャル方向Ｔａとする。
【００２１】
光学系５は、偏光プリズム１０と、回折素子１１と、ハーフミラー１２と、コリメータレンズ１３と、波長板としての１／４波長板１４と、立ち上げミラー（全反射ミラー）１５と、対物レンズ１６と、センサレンズ１７とを備えている。本形態の１／４波長板１４は、樹脂フィルムで形成されている。また、本形態では、偏光プリズム１０、回折素子１１、ハーフミラー１２、コリメータレンズ１３、立ち上げミラー１５およびセンサレンズ１７は装置フレーム８に固定され、１／４波長板１４および対物レンズ１６は対物レンズ駆動装置７に固定されている。
【００２２】
光源３から射出された射出光Ｌ１、Ｌ２は、偏光プリズム１０および回折素子１１を透過して、ハーフミラー１２で反射される。ハーフミラー１２で反射された光は、コリメータレンズ１３および１／４波長板１４を透過し、立ち上げミラー１５で反射された後、対物レンズ１６を透過して、光記録媒体２に照射される。すなわち、光源３から光記録媒体２に向かう光路上には、偏光プリズム１０、回折素子１１、ハーフミラー１２、コリメータレンズ１３、１／４波長板１４、立ち上げミラー１５および対物レンズ１６がこの順番で配置されている。
【００２３】
光源３から射出された射出光Ｌ１、Ｌ２は、回折素子１１で回折される。すなわち、射出光Ｌ１、Ｌ２は、回折素子１１によって、対物レンズ１６のトラッキング制御を行うための−１次光、０次光、＋１次光の３つの光線に分けられる。また、光源３から射出された射出光Ｌ１、Ｌ２（発散光）は、コリメータレンズ１３で平行光にされ、１／４波長板１４によって、コリメータレンズ１３からの平行光の偏光方向が変換される。さらに、１／４波長板１４を透過した平行光は、立ち上げミラー１５で、コリメータレンズ１３からの平行光の光軸が略９０°立ち上がるように対物レンズ１６に向かって反射され、対物レンズ１６によって、光記録媒体２に収束される。
【００２４】
また、光記録媒体２で反射された反射光ＬＲ１、ＬＲ２は、対物レンズ１６、立ち上げミラー１５、１／４波長板１４およびコリメータレンズ１３を経由した後、ハーフミラー１２を透過するとともに、センサレンズ１７を透過して、受光素子４に入射する。すなわち、光記録媒体２から受光素子４に向かう光路上には、対物レンズ１６、立ち上げミラー１５、１／４波長板１４、コリメータレンズ１３、ハーフミラー１２およびセンサレンズ１７がこの順番で配置されている。
【００２５】
本形態では、光源３からのレーザ光の射出方向がトラッキング方向Ｔｒとほぼ一致している。また、コリメータレンズ１３の光軸とタンジェンシャル方向Ｔａとがほぼ一致している。
【００２６】
受光素子４は、図３に示すように、反射光ＬＲ１、ＬＲ２を受光する受光部４ａ〜４ｆを備えている。具体的には、受光素子４は、射出光Ｌ１に対応する反射光ＬＲ１の０次光（ＬＲ１（０））が入射する受光部４ａと、反射光ＬＲ１の−１次光（ＬＲ１（−１））が入射する受光部４ｂと、反射光ＬＲ１の＋１次光（ＬＲ１（＋１））が入射する受光部４ｃと、射出光Ｌ２に対応する反射光ＬＲ２の０次光（ＬＲ２（０））が入射する受光部４ｄと、反射光ＬＲ２の−１次光（ＬＲ２（−１））が入射する受光部４ｅと、反射光ＬＲ２の＋１次光（ＬＲ２（＋１））が入射する受光部４ｆとを備えている。
【００２７】
図３に示すように、受光部４ａ〜４ｃは、フォーカシング方向Ｆｏに配列されている。すなわち、受光部４ａ〜４ｃは、対物レンズ１６の光軸方向に配列されている。同様に、受光部４ｄ〜４ｆは、フォーカシング方向Ｆｏに配列されている。また、受光部４ａ〜４ｃからなる受光部列４ｇと、受光部４ｄ〜４ｆからなる受光部列４ｈとは、トラッキング方向Ｔｒで隣接するように配置されている。すなわち、受光部列４ｇと受光部列４ｈとは、光源３からのレーザ光の射出方向で隣接するように配置されている。本形態では、受光部列４ｇの図示右側に受光部列４ｈが配置されている。
【００２８】
装置フレーム８には、図２に示すように、光ヘッド装置１をトラッキング方向Ｔｒへ送るための送りねじ（図示省略）が係合するネジ係合部８ａと、光ヘッド装置１をトラッキング方向Ｔｒへ案内するガイド軸（図示省略）が係合する軸係合部８ｂとが形成されている。また、装置フレーム８の中央部には、対物レンズ駆動装置７が搭載される搭載部８ｃが形成されている。
【００２９】
（対物レンズ駆動装置の構成および波長板の固定構造）
図４は、図２に示す対物レンズ駆動装置７の平面図である。図５は、図２に示す対物レンズ駆動装置７の底面図である。図６は、図４のＦ−Ｆ方向から対物レンズ駆動装置７を示す図である。図７は、図５のＧ部の拡大図である。図８は、図４に示すヨーク２３の斜視図である。
【００３０】
対物レンズ駆動装置７は、対物レンズ１６を保持するレンズホルダ２０と、レンズホルダ２０をフォーカシング方向Ｆｏ、トラッキング方向Ｔｒおよびチルト方向Ｔｉへ移動可能に支持する６本のワイヤ２１と、先端側にレンズホルダ２０が固定されたワイヤ２１の基端側を支持するホルダ支持部材２２と、本体フレームを構成するとともにレンズホルダ２０を駆動する磁気回路の一部を構成するヨーク２３とを備えている。ホルダ支持部材２２は、ヨーク２３に固定されている。
【００３１】
また、対物レンズ駆動装置７は、レンズホルダ２０を駆動するための４個の駆動用磁石２４と、レンズホルダ２０をフォーカシング方向Ｆｏへ駆動するための２個の第１駆動コイル２５と、レンズホルダ２０をトラッキング方向Ｔｒおよびチルト方向Ｔｉへ駆動するための４個の第２駆動コイル２６とを備えている。なお、対物レンズ駆動装置７では、対物レンズ１６の下方に空間が形成されており、この空間に、装置フレーム８に固定された立ち上げミラー１５が配置されている。
【００３２】
ヨーク２３には、駆動用磁石２４を固定するための磁石固定部２３ａ、２３ｂが底面２３ｃから起立するように形成されている。具体的には、図８に示すように、タンジェンシャル方向Ｔａに所定の間隔をあけた状態で、略平行な２個の磁石固定部２３ａ、２３ｂがヨーク２３に形成されている。タンジェンシャル方向Ｔａにおける磁石固定部２３ａ、２３ｂの内側面は、駆動用磁石２４が固定される磁石固定面２３ｄ、２３ｅとなっている。また、一方の磁石固定部２３ａは、タンジェンシャル方向Ｔａにおけるヨーク２３の一端（図４の右端）に形成されている。
【００３３】
上述のように、１／４波長板１４は、対物レンズ駆動装置７に固定されている。本形態では、ヨーク２３の磁石固定部２３ａは、１／４波長板１４を固定するための一対の波長板固定部２３ｆ、２３ｇを備えており、一方の波長板固定部２３ｆに固定された駆動用磁石２４に１／４波長板１４の一端側が固定され、他方の波長板固定部２３ｇに１／４波長板１４の他端側が固定されている。すなわち、本形態では、１／４波長板１４は、タンジェンシャル方向Ｔａにおける対物レンズ駆動装置７の側面側に固定されている。
【００３４】
具体的には、一対の波長板固定部２３ｆ、２３ｇは、トラッキング方向Ｔｒに所定の間隔をあけた状態で形成されている。また、図６、図７に示すように、一方の波長板固定部２３ｆの磁石固定面２３ｄに固定された駆動用磁石２４の、磁石固定面２３ｄとの当接面２４ａに、トラッキング方向Ｔｒにおける１／４波長板１４の一端側が当接した状態で接着によって固定されている。また、他方の波長板固定部２３ｇの磁石固定面２３ｄと反対側の面には波長板固定面２３ｈが形成されており、この波長板固定面２３ｈにトラッキング方向Ｔｒにおける１／４波長板１４の他端側が当接した状態で接着によって固定されている。
【００３５】
なお、本形態では、タンジェンシャル方向Ｔａにおける波長板固定部２３ｆ、２３ｇの外側面から１／４波長板１４が突出しないように、１／４波長板１４が固定されている。また、本形態では、当接面２４ａおよび波長板固定面２３ｈへの１／４波長板１４の接着方向の間違いを防止するため、１／４波長板１４は、平行四辺形に形成されている。
【００３６】
図８に示すように、波長板固定面２３ｈは、トラッキング方向Ｔｒにおける波長板固定部２３ｇの内側端に形成されている。また、波長板固定面２３ｈが形成された部分は、ヨーク２３の他の部分の厚さよりも薄くなっている。すなわち、タンジェンシャル方向Ｔａにおける波長板固定部２３ｇの外側面と波長板固定面２３ｈとの間には段差２３ｊが形成されている。
【００３７】
本形態では、図１等に示すように、１／４波長板１４は、対物レンズ１６の光軸と１／４波長板１４の表面とが略平行になるように（すなわち、１／４波長板１４の表面がフォーカシング方向Ｆｏと略平行になるように）対物レンズ駆動装置７に固定されている。また、図１、図７等に示すように、１／４波長板１４は、対物レンズ１６の光軸とコリメータレンズ１３の光軸とに直交する方向に対して１／４波長板１４の表面が傾くように（すなわち、１／４波長板１４の表面がトラッキング方向Ｔｒに対して傾くように）対物レンズ駆動装置７に固定されている。
【００３８】
具体的には、１／４波長板１４で反射される反射光が迷光として光源３の発光部に入射しないように、１／４波長板１４は、その表面がトラッキング方向Ｔｒに対して傾くように対物レンズ駆動装置７に固定されている。また、１／４波長板１４で反射される反射光が迷光として受光素子４の受光部４ａ〜４ｆに入射しないように、１／４波長板１４は、その表面がトラッキング方向Ｔｒに対して傾くように対物レンズ駆動装置７に固定されている。より具体的には、図３に示すように、射出光Ｌ２の１／４波長板１４での反射光Ｌ２（０）、Ｌ２（−１）、Ｌ２（＋１）が、受光部列４ｇよりも図示左側にずれるように、１／４波長板１４が傾いている。すなわち、１／４波長板１４での反射光Ｌ１（０）、Ｌ１（−１）、Ｌ１（＋１）、Ｌ２（０）、Ｌ２（−１）、Ｌ２（＋１）が、トラッキング方向Ｔｒにずれるように１／４波長板１４が傾いている。
【００３９】
なお、トラッキング方向Ｔｒに対する１／４波長板１４の傾きθは、１／４波長板１４の対物レンズ駆動装置７への取付精度や温度変化等の影響で１／４波長板１４が歪んでも、１／４波長板１４での反射光Ｌ２（０）、Ｌ２（−１）、Ｌ２（＋１）が、受光部列４ｇよりも図示左側にずれるように設定されている。たとえば、この傾きθは約３°に設定されている。
【００４０】
（対物レンズの傾角調整）
以上のように構成された光ヘッド装置１では、その組立工程において、装置フレーム８上に対物レンズ駆動装置７を搭載して固定する際、対物レンズ１６の光軸が光記録媒体２の記録面に対して正確に垂直となるように、装置フレーム８に対する対物レンズ駆動装置７の傾きを調整して、対物レンズ１６の傾角を調整する。
【００４１】
具体的には、装置フレーム８の搭載部８ｃに搭載された対物レンズ駆動装置７を、所定の調整装置を用いて、トラッキング方向Ｔｒおよび／またはタンジェンシャル方向Ｔａを軸方向として回動させて、装置フレーム８に対する対物レンズ駆動装置７の傾きを調整する。なお、調整後には、対物レンズ駆動装置７は装置フレーム８に接着で固定される。
【００４２】
（本形態の主な効果）
以上説明したように、本形態では、１／４波長板１４は、１／４波長板１４で反射される反射光が迷光として光源３の発光部および受光素子４の受光部４ａ〜４ｆに入射しないように傾いた状態で対物レンズ駆動装置７に固定されている。そのため、１／４波長板１４での反射光が迷光として光源３の発光部や受光素子４の受光部４ａ〜４ｆに入射するのを防止することができる。
【００４３】
また、本形態では、射出光Ｌ２の１／４波長板１４での反射光Ｌ２（０）、Ｌ２（−１）、Ｌ２（＋１）が、受光部列４ｇよりも図示左側にずれるように、１／４波長板１４が傾いている。そのため、射出光Ｌ１の１／４波長板１４での反射光Ｌ１（０）、Ｌ１（−１）、Ｌ１（＋１）が受光部列４ｇよりも図示上側または下側にずれ、かつ、射出光Ｌ２の１／４波長板１４での反射光Ｌ２（０）、Ｌ２（−１）、Ｌ２（＋１）が受光部列４ｈよりも図示上側または下側にずれるように、１／４波長板１４が傾いている場合と比較して、１／４波長板１４の傾斜角度を小さくすることができる。
【００４４】
本形態では、１／４波長板１４がコリメータレンズ１３と立ち上げミラー１５との間に配置されるとともに、１／４波長板１４は、その表面がフォーカシング方向Ｆｏと略平行になるように、対物レンズ駆動装置７に固定されている。そのため、フォーカシング方向Ｆｏで対物レンズ駆動装置７を小型化（薄型化）することができる。
【００４５】
また、本形態では、１／４波長板１４は、その表面がフォーカシング方向Ｆｏと略平行になるように、かつ、その表面がトラッキング方向Ｔｒに対して傾くように、対物レンズ駆動装置７に固定されている。そのため、上述のように、トラッキング方向Ｔｒおよび／またはタンジェンシャル方向Ｔａを軸方向として対物レンズ駆動装置７を回動させる対物レンズ１６の傾角調整が行われても、トラッキング方向Ｔｒに対する１／４波長板１４の傾斜のおおよその方向は変わらない。
【００４６】
したがって、対物レンズ１６の傾角調整が行われても、１／４波長板１４で反射される反射光が光源３の発光部や受光素子４の受光部４ａ〜４ｆに向かうのを防止することができる。すなわち、トラッキング方向Ｔｒに対する１／４波長板１４の傾斜角度を小さくしても、また、フォーカシング方向Ｆｏに対して１／４波長板１４を傾斜させなくても、１／４波長板１４で反射された反射光が迷光として光源３の発光部や受光素子４の受光部４ａ〜４ｆに入射するのを防止することができる。このように、本形態では、１／４波長板１４の傾斜角度を小さくすることができ、その結果、トラッキング方向Ｔｒおよびタンジェンシャル方向Ｔａでも対物レンズ駆動装置７を小型化することができる。
【００４７】
特に本形態では、タンジェンシャル方向Ｔａにおける波長板固定部２３ｆ、２３ｇの外側面から１／４波長板１４が突出しないように、１／４波長板１４が固定されているため、タンジェンシャル方向Ｔａで対物レンズ駆動装置７をより小型化することができる。
【００４８】
本形態では、１／４波長板１４は、樹脂フィルムで形成されている。そのため、１／４波長板１４のコストを低減することができる。また、１／４波長板１４が樹脂フィルムで形成されていると、１／４波長板１４の対物レンズ駆動装置７への取付精度や温度変化等の影響で１／４波長板１４が歪みやすくなるため、１／４波長板１４の歪み量を考慮して１／４波長板１４の傾斜角度を設定する必要があり、一般には、１／４波長板１４の傾斜角度が大きくなるが、本形態では、対物レンズ１６の傾角調整による１／４波長板１４の傾斜方向の変動を抑制することができるため、１／４波長板１４の歪み量を考慮したとしても、１／４波長板１４の傾斜角度を小さくすることができる。
【００４９】
本形態では、光源３は、異なる波長のレーザ光を射出する２個の発光点が近接配置される２波長レーザ光源である。そのため、２個のレーザ光源が光ヘッド装置１に配置される場合と比較して、光源３の配置スペースを低減することができ、かつ、光源３の部品コストを低減することができる。また、光源３が２波長レーザ光源であると、受光素子４では、一方の波長のレーザ光を受光する受光部列４ｇと、他方の波長のレーザ光を受光する受光部列４ｈとが隣接配置されるため、隣接配置される受光部列４ｇ、４ｈに１／４波長板１４での反射光が入射しないように１／４波長板１４の傾斜角度を設定する必要があり、一般には、１／４波長板１４の傾斜角度が大きくなるが、本形態では、対物レンズ１６の傾角調整による１／４波長板１４の傾斜方向の変動を抑制することができるため、光源３が２波長レーザ光源であっても、１／４波長板１４の傾斜角度を小さくすることができる。
【００５０】
本形態では、１／４波長板１４の他端側が当接した状態で固定される波長板固定面２３ｈが形成された部分は、ヨーク２３の他の部分の厚さよりも薄くなっている。そのため、ヨーク２３の厚さを厚くしても、１／４波長板１４の傾斜角度を小さくすることができる。したがって、本形態では、ヨーク２３によって、対物レンズ１６を駆動するための適切な磁気回路を形成することが可能になる。
【００５１】
（他の実施の形態）
上述した形態は、本発明の好適な形態の一例ではあるが、これに限定されるものではなく本発明の要旨を変更しない範囲において種々変形実施が可能である。
【００５２】
上述した形態では、図３に示すように、射出光Ｌ２の１／４波長板１４での反射光Ｌ２（０）、Ｌ２（−１）、Ｌ２（＋１）が、受光部列４ｇよりも図示左側にずれるように、１／４波長板１４が傾いた状態で対物レンズ駆動装置７に固定されている。この他にもたとえば、射出光Ｌ１の１／４波長板１４での反射光Ｌ１（０）、Ｌ１（−１）、Ｌ１（＋１）が、受光部列４ｈよりも図３の右側にずれるように、１／４波長板１４が傾いた状態で対物レンズ駆動装置７に固定されても良い。
【００５３】
上述した形態では、受光部４ａ〜４ｃおよび受光部４ｄ〜４ｆは、フォーカシング方向Ｆｏに配列されている。この他にもたとえば、受光部４ａ〜４ｃおよび受光部４ｄ〜４ｆは、フォーカシング方向Ｆｏに対して傾斜するように配列されても良い。この場合には、射出光Ｌ２の１／４波長板１４での反射光Ｌ２（０）、Ｌ２（−１）、Ｌ２（＋１）が受光部列４ｇに入射しないように、または、射出光Ｌ１の１／４波長板１４での反射光Ｌ１（０）、Ｌ１（−１）、Ｌ１（＋１）が受光部列４ｈに入射しないように、１／４波長板１４の傾きを設定すれば良い。
【００５４】
また、受光部４ａ〜４ｃおよび受光部４ｄ〜４ｆは、トラッキング方向Ｔｒに配列されても良い。この場合には、たとえば、射出光Ｌ２の１／４波長板１４での反射光Ｌ２（０）、Ｌ２（−１）、Ｌ２（＋１）が受光部列４ｇよりも図示上側にずれるように、または、射出光Ｌ１の１／４波長板１４での反射光Ｌ１（０）、Ｌ１（−１）、Ｌ１（＋１）が受光部列４ｈよりも図示下側にずれるように、１／４波長板１４が傾いた状態で対物レンズ駆動装置７に固定されれば良い。また、この場合には、たとえば、図９に示すように、１／４波長板１４は、その表面がトラッキング方向Ｔｒと略平行になるように、かつ、その表面がフォーカシング方向Ｆｏに対して傾くように、対物レンズ駆動装置７に固定される。
【００５５】
なお、この場合には、タンジェンシャル方向Ｔａを軸方向として対物レンズ駆動装置７を回動させる対物レンズ１６の傾角調整が行われても、フォーカシング方向Ｆｏに対する１／４波長板１４の表面の傾斜のおおよその方向は変わらない。したがって、フォーカシング方向Ｆｏに対する１／４波長板１４の傾斜角度を小さくしても、また、トラッキング方向Ｔｒへ１／４波長板１４を傾斜させなくても、１／４波長板１４で反射された反射光が迷光として光源３の発光部や受光素子４の受光部４ａ〜４ｆに入射するのを防止することが可能になる。すなわち、この場合であっても、１／４波長板１４の傾斜角度を小さくすることが可能となり、その結果、フォーカシング方向Ｆｏに直交する方向で対物レンズ駆動装置１を小型化することが可能になる。
【００５６】
上述した形態では、１／４波長板１４は、その表面がフォーカシング方向Ｆｏと略平行になるように対物レンズ駆動装置７に固定されている。この他にもたとえば、１／４波長板１４は、その表面がフォーカシング方向Ｆｏに対してわずかに傾くように対物レンズ駆動装置７に固定されても良い。また、図９に示す例では、１／４波長板１４は、その表面がトラッキング方向Ｔｒと略平行になるように対物レンズ駆動装置７に固定されているが、図９において、１／４波長板１４は、その表面がトラッキング方向Ｔｒに対してわずかに傾くように対物レンズ駆動装置７に固定されても良い。
【００５７】
上述した形態では、１／４波長板１４の一端側が駆動用磁石２４に固定され、１／４波長板１４の他端側がヨーク２３の波長板固定部２３ｇに固定されている。この他にもたとえば、１／４波長板１４の両端側が、波長板固定部２３ｆ、２３ｇに固定された駆動用磁石２４に固定されても良いし、波長板固定部２３ｆ、２３ｇに直接固定されても良い。
【００５８】
上述した形態では、光源３は、２波長レーザ光源である。この他にもたとえば、異なる波長のレーザ光を出射する２個のレーザ光源が光ヘッド装置１に配置されても良い。また、光源３は、１種類の波長のレーザ光を出射するレーザ光源であっても良い。この場合には、受光素子４には、受光部列４ｇまたは受光部列４ｈのいずれかが形成されれば良い。
【００５９】
上述した形態では、受光素子４には、回折素子１１で回折された−１次光、０次光、＋１次光の３つの光線が入射している。この他にもたとえば、回折されていない１つの光線が受光素子４に入射するように、光ヘッド装置１の光学系が構成されても良い。この場合には、受光素子４に、１つの光線が入射する受光部のみが形成されれば良い。
【００６０】
上述した形態では、１／４波長板１４は、樹脂フィルムで形成されている。この他にもたとえば、１／４波長板１４は、ガラス等で形成されても良い。また、１／４波長板１４は、ガラスに樹脂フィルムが貼り付けられることで形成されても良い。
【図面の簡単な説明】
【００６１】
【図１】本発明の実施の形態にかかる光ヘッド装置の、光学系を中心とした概略構成図であり、（Ａ）は平面図、（Ｂ）は側面図である。
【図２】本発明の実施の形態にかかる光ヘッド装置の一部の部品を取り除いた状態を示す平面図である。
【図３】図１（Ｂ）のＥ−Ｅ方向から受光素子の受光部を示す概念図である。
【図４】図２に示す対物レンズ駆動装置の平面図である。
【図５】図２に示す対物レンズ駆動装置の底面図である。
【図６】図４のＦ−Ｆ方向から対物レンズ駆動装置を示す図である。
【図７】図５のＧ部の拡大図である。
【図８】図４に示すヨークの斜視図である。
【図９】本発明の他の実施の形態にかかる１／４波長板の傾斜方向を説明するための概略構成図である。
【符号の説明】
【００６２】
１  光ヘッド装置
２  光記録媒体
３  光源（２波長レーザ光源）
４  受光素子
４ａ〜４ｆ  受光部
７  対物レンズ駆動装置
８  装置フレーム
１１  回折素子
１３  コリメータレンズ
１４  １／４波長板（波長板）
１５  立ち上げミラー
１６  対物レンズ
２３  ヨーク
２３ｄ  磁石固定面
２３ｆ、２３ｇ  波長板固定部
２３ｈ  波長板固定面
２４  駆動用磁石
２４ａ  当接面
Ｆｏ  フォーカシング方向
Ｔｒ  トラッキング方向
【図１】
2010061766.tif 000003
【図２】
2010061766.tif 000004
【図３】
2010061766.tif 000005
【図４】
2010061766.tif 000006
【図５】
2010061766.tif 000007
【図６】
2010061766.tif 000008
【図７】
2010061766.tif 000009
【図８】
2010061766.tif 000010
【図９】
2010061766.tif 000011